(57)【特許請求の範囲】
【請求項１】
基準系列長をNbとして、参照信号の送信帯域幅に応じた系列長Nに対して、rb／Nbとr／Nとの差の絶対値と、0.5との差の絶対値が、第１の所定値よりも大きい系列番号rの系列が、グループ番号rbのグループにグループ化され、グループ化された前記系列のいずれか一つを用いて、前記参照信号を生成する生成部と、
前記参照信号を送信する送信部と、
を有する送信装置。
【請求項２】
前記第１の所定値は、前記送信帯域幅が大きいほど大きい、
請求項１に記載の送信装置。
【請求項３】
基準系列長をNbとして、参照信号の送信帯域幅に応じた系列長Nに対して、rb／Nbとr／Nとの差の絶対値と、0.5との差の絶対値がより大きい系列番号rから順に所定数の系列が、グループ番号rbのグループにグループ化され、グループ化された前記系列のいずれか一つを用いて、前記参照信号を生成する生成部と、
前記参照信号を送信する送信部と、
を有する送信装置。
【請求項４】
前記所定数の前記系列をグループ化することによって、前記系列長Nに対して用いられ得る前記系列の数を制限する、
請求項３に記載の送信装置。
【請求項５】
前記系列長Nに対して、rb／Nbとr／Nとの差の絶対値が第２の所定値以下となる系列番号rの系列が、グループ番号rbのグループにグループ化される、
請求項１から４のいずれかに記載の送信装置。
【請求項６】
前記第２の所定値は、前記送信帯域幅が大きいほど小さい、
請求項５に記載の送信装置。
【請求項７】
前記送信帯域幅の閾値を境にして、前記第２の所定値の定義が異なる、
請求項５又は６に記載の送信装置。
【請求項８】
前記系列は、式（１）で定義されるＺａｄｏｆｆ−Ｃｈｕ系列ar(k)である、
請求項１から７のいずれかに記載の送信装置。
【数１】
0005475854.tif 000005
【請求項９】
前記系列長Nは、前記送信帯域幅と、一意に対応する、
請求項１から８のいずれかに記載の送信装置。
【請求項１０】
前記送信帯域幅が大きいほど、前記系列長Nに対して、rb／Nbとr／Nとの差の絶対値と、0.5との差の絶対値が、より大きい系列番号rの系列が、グループ番号rbのグループにグループ化される、
請求項１から９のいずれかに記載の送信装置。
【請求項１１】
前記グループ番号rbに関する制御情報を受信する受信部、をさらに有し、
前記生成部は、前記制御情報に基づいて、グループ化された前記系列のいずれか一つを用いて、前記参照信号を生成する、
請求項１から１０のいずれかに記載の送信装置。
【請求項１２】
前記送信帯域幅に関する制御情報を受信する受信部、をさらに有し、
前記生成部は、前記制御情報に基づいて、グループ化された前記系列のいずれか一つを用いて、前記参照信号を生成する、
請求項１から１１のいずれかに記載の送信装置。
【請求項１３】
前記生成部は、セルに応じて、グループ化された前記系列のいずれか一つを用いて、前記参照信号を生成する、
請求項１から１２のいずれかに記載の送信装置。
【請求項１４】
前記参照信号は、サウンディング・リファレンス・シグナル（sounding RS）である、
請求項１から１３のいずれかに記載の送信装置。
【請求項１５】
前記生成部は、グループ化された前記系列の中から、系列ホッピングにより選択された一つの系列を用いて、前記参照信号を生成する、
請求項１から１４のいずれかに記載の送信装置。
【請求項１６】
前記生成部は、グループ化された前記系列の中から、フレーム番号またはスロット番号に基づいて、系列ホッピングにより選択された一つの系列を用いて、前記参照信号を生成する、
請求項１から１５のいずれかに記載の送信装置。
【請求項１７】
前記基準系列長Nbは、すべてのセルに共通である、
請求項１から１６のいずれかに記載の送信装置。
【請求項１８】
基準系列長をNbとして、参照信号の送信帯域幅に応じた系列長Nに対して、rb／Nbとr／Nとの差の絶対値と、0.5との差の絶対値が、第１の所定値よりも大きい系列番号rの系列が、グループ番号rbのグループにグループ化され、グループ化された前記系列のいずれか一つを用いて、前記参照信号を生成する、
参照信号生成方法。
【請求項１９】
前記第１の所定値は、前記送信帯域幅が大きいほど大きい、
請求項１８に記載の参照信号生成方法。
【請求項２０】
基準系列長をNbとして、参照信号の送信帯域幅に応じた系列長Nに対して、rb／Nbとr／Nとの差の絶対値と、0.5との差の絶対値がより大きい系列番号rから順に所定数の系列が、グループ番号rbのグループにグループ化され、グループ化された前記系列のいずれか一つを用いて、前記参照信号を生成する、
参照信号生成方法。
【請求項２１】
前記系列長Nに対して、rb／Nbとr／Nとの差の絶対値が第２の所定値以下となる系列番号rの系列が、グループ番号rbのグループにグループ化される、
請求項１８から２０のいずれかに記載の参照信号生成方法。
【請求項２２】
前記第２の所定値は、前記送信帯域幅が大きいほど小さい、
請求項２１に記載の参照信号生成方法。
【発明の詳細な説明】
【技術分野】
【０００１】
本発明は、セルラ無線通信システムに用いられる送信装置および参照信号生成方法に関する。
【背景技術】
【０００２】
３ＧＰＰ  ＬＴＥ（3rd Generation Partnership Project Long Term Evolution）において、上り回線で用いられる参照信号（ＲＳ：Reference Signal）としてＺａｄｏｆｆ−Ｃｈｕ系列（ＺＣ系列）が採択されている。ＺＣ系列がＲＳとして採択される理由は、周波数特性が均一であること、また、自己相関特性および相互相関特性が良好であることなどである。ＺＣ系列はＣＡＺＡＣ(Constant Amplitude and Zero Auto-correlation Code)系列の一種であり、以下の式（１）あるいは式（２）で表される。
【数１】
0005475854.tif 000002
【数２】
0005475854.tif 000003
【０００３】
式（１）および式（２）において、Ｎは系列長であり、ｒはＺＣ系列番号であり、Ｎとｒとは互いに素の関係にある。また、ｑは任意の整数である。系列長Ｎが素数であるＺＣ系列から、Ｎ−１個の相互相関特性が良好な準直交系列を生成することができる。この場合、生成されるＮ−１個の準直交系列間の相互相関は√Ｎで一定となる。
【０００４】
なお、上り回線で用いられるＲＳの中で、データの復調に用いられるチャネル推定用参照信号（ＤＭ−ＲＳ：Demodulation Reference Signal)は、データ送信帯域幅と同じ帯域で送信される。すなわち、データ送信帯域幅が狭帯域である場合には、ＤＭ−ＲＳも狭帯域で送信されることになる。例えば、データ送信帯域幅が１ＲＢ(Resource Block)であればＤＭ−ＲＳ送信帯域幅も１ＲＢとなり、データ送信帯域幅が２ＲＢであればＤＭ−ＲＳ送信帯域幅も２ＲＢとなる。なお、３ＧＰＰ ＬＴＥにおいて、１ＲＢは１２サブキャリアから構成されるため、１ＲＢで送信されるＤＭ−ＲＳとしては系列長Ｎが１１または１３のＺＣ系列を用い、２ＲＢで送信されるＤＭ−ＲＳとしては系列長Ｎが２３または２９のＺＣ系列を用いる。ここで、系列長Ｎが１１または２３であるＺＣ系列を用いる場合はそれぞれ巡回拡張を行って、すなわち、系列の前方データを後方にコピーして１２サブキャリアまたは２４サブキャリアのＤＭ−ＲＳを生成する。一方、系列長Ｎが１３または２９であるＺＣ系列を用いる場合は、トランケーションを行って、すなわち、系列の一部を削除して１２サブキャリアまたは２４サブキャリアのＤＭ−ＲＳを生成する。
【０００５】
ＺＣ系列の割当方法としては、異なるセルに用いられるＤＭ−ＲＳ間の干渉、すなわちＤＭ−ＲＳのセル間干渉を低減するために、各ＲＢにおいては、隣接するセルに異なる系列番号のＺＣ系列をＤＭ−ＲＳとして割り当てる。データ送信帯域幅は、各セルのスケジューリングによって決まるため、セル間では送信帯域幅が異なるＤＭ−ＲＳが多重される。しかし、送信帯域幅が異なる、すなわち、系列長が異なるＺＣ系列が多重される場合、ある特定のＺＣ系列番号の組合せにおいて相互相関が大きくなる。
【０００６】
図１は、計算機シミュレーションにより得た、異なる系列番号の組合せにおけるＺＣ系列間の相互相関特性を示す図である。具体的には、系列長Ｎ＝１１で系列番号ｒ＝３のＺＣ系列と、系列長Ｎ＝２３で系列番号がｒ＝１〜６である各ＺＣ系列との相互相関特性を示す。図１において、横軸はシンボル数を用いて遅延時間を示し、縦軸は正規化相互相関値、すなわち相互相関値をＮで除算した値を示す。図１に示すように、ｒ＝３、Ｎ＝１１のＺＣ系列と、ｒ＝６、Ｎ＝２３のＺＣ系列との組合せにおいて相互相関の最大値が非常に大きくなり、同一送信帯域幅での相互相関値１／√Ｎ、すなわち１／√１１の約３倍となる。
【０００７】
図２は、相互相関が大きくなる特定のＺＣ系列の組合せが、隣接するセルに割り当てられた場合のＤＭ−ＲＳのセル間干渉を示す図である。具体的には、ｒ＝ａ、Ｎ＝１１のＺＣ系列およびｒ＝ｂ、Ｎ＝２３のＺＣ系列がセル＃Ａに割り当てられ、ｒ＝ｃ、Ｎ＝２３のＺＣ系列およびｒ＝ｄ、Ｎ＝１１のＺＣ系列がセル＃Ｂに割り当てられる場合が例示されている。かかる場合、セル＃Ａに割り当てられたｒ＝ａ、Ｎ＝１１のＺＣ系列と、セル＃Ｂに割り当てられたｒ＝ｃ、Ｎ＝２３のＺＣ系列との組合せ、あるいは、セル＃Ａに割り当てられたｒ＝ｂ、Ｎ＝２３のＺＣ系列と、セル＃Ｂに割り当てられたｒ＝ｄ、Ｎ＝１１のＺＣ系列との組合せにより、ＤＭ−ＲＳのセル間干渉が大きくなり、チャネル推定精度が劣化し、データ復調性能が著しく劣化する。
【０００８】
このような問題を回避するため、セルラ無線通信システムにおいては、非特許文献１に開示されるＺＣ系列の割当方法を用いる。非特許文献１においては、セル間干渉を低減するために、ＺＣ系列の相互相関が大きく、系列長が異なるＺＣ系列の組合せを同一セルへ割当てることが提案されている。
【０００９】
図３は、非特許文献１および非特許文献２に開示されているＺＣ系列の割当方法を説明するための図である。図３においては、図２に示した例を流用している。図３に示すように、相互相関が大きいＺＣ系列の組合せ、すなわち、ｒ＝ａ、Ｎ＝１１のＺＣ系列と、ｒ＝ｃ、Ｎ＝２３のＺＣ系列との組合せを同一セル、ここではセル＃Ａに割り当てる。また、相互相関が大きくなるＺＣ系列のもう１組の組合せ、すなわち、ｒ＝ｄ、Ｎ＝１１のＺＣ系列と、ｒ＝ｂ、Ｎ＝２３のＺＣ系列との組合せを同一セル、ここではセル＃Ｂに割当てる。同一セル内では、１つの無線基地局装置によって送信帯域がスケジューリングされるため、同一セルへ割当てた相互相関が大きいＺＣ系列同士が多重されることはない。よって、セル間干渉が低減される。
【００１０】
また、非特許文献２において、各ＲＢで用いるＺＣ系列番号の組（以下、系列グループと称す）の求め方が提案されている。ＺＣ系列は、ｒ／Ｎ、すなわち系列番号／系列長の差が小さい系列ほど、相互相関が高くなるという特徴がある。そこで、あるＲＢ、例えば１ＲＢの系列を基準に、ｒ／Ｎの差が所定の閾値以下となるＺＣ系列を各ＲＢのＺＣ系列から求め、求められた複数のＺＣ系列を１つの系列グループとして、セルに割当てる。
【００１１】
図４は、非特許文献２に開示されている系列グループの生成方法を説明するための図である。図４において、横軸はｒ／Ｎを示し、縦軸は各ＲＢのＺＣ系列を示す。まず、基準とする系列長Ｎｂと系列番号ｒｂを設定する。以下、基準系列長Ｎｂ、基準系列番号ｒｂを有するＺＣ系列を基準系列と称す。例えば、Ｎｂ＝１３（１ＲＢに対応する系列長）、ｒｂ＝１（１〜Ｎｂ−１から任意に選択される）とすると、ｒｂ／Ｎｂ＝１／１３となる。そして、基準のｒｂ／Ｎｂに対し、ｒ／Ｎの差が所定の閾値以下となるＺＣ系列を各ＲＢのＺＣ系列から求めて系列グループを生成する。また、基準とする系列番号を変えて、同様の手順で、他の系列グループを生成する。このように、基準となる系列番号の数分の、すなわちＮｂ−１組の異なる系列グループを生成することができる。ここで、ｒｂ／Ｎｂとの差が所定の閾値以下となるＺＣ系列の選択範囲が隣接する系列グループ間で重複する場合、同じＺＣ系列が複数の系列グループに含まれてしまい、セル間で系列番号が衝突してしまう。そこで、隣接する系列グループにおけるＺＣ系列の選択範囲が重複することを防止するために、上記の所定の閾値は、例えば１／（２Ｎｂ）より小さい値に設定する。
【００１２】
図５Ａおよび図５Ｂは、非特許文献２に開示されている系列グループ生成方法により生成された系列グループの例を示す図である。ここで、系列長Ｎは、送信帯域幅で送信可能なサイズより大きく、かつこのサイズに最も近い素数に設定しており、ＲＢ数から一意に求まる。図５Ａおよび図５Ｂは、基準の系列長をＮｂ＝１３とし、基準の系列番号をｒｂ＝１またはｒｂ＝２とする場合、下記の式（３）を満たすＺＣ系列からなる系列グループ（ＺＣ系列グループ１およびＺＣ系列グループ２）を示している。式（３）において、閾値Ｘｔｈは、同じ系列が複数の系列グループに含まれないように、例えばＸｔｈ＝１／（２Ｎｂ）＝１／２６とする。
｜ｒｂ／Ｎｂ−ｒ／Ｎ｜ ≦ Ｘｔｈ  …（３）
【００１３】
このように、非特許文献１および非特許文献２記載の系列割当方法によれば、ｒ／Ｎの差が所定の閾値より小さい、すなわち、相互相関が所定の閾値より大きいＺＣ系列からなる系列グループを生成し、生成された系列グループを同一セルに割り当てる。このため、相互相関が大きく、系列長が異なるＺＣ系列の組合せを同一セルに割当てることができ、セル間干渉を低減することができる。
【先行技術文献】
【非特許文献】
【００１４】
【非特許文献１】Huawei、R1-070367、"Sequence Allocation Method for E-UTRA Uplink Reference Signal"、3GPP TSG RAN WG1Meeting #47bis、Sorrento、Italy 15 -19 January、2007
【非特許文献２】LG Electronics、 R1-071542、 "Binding method for UL RS sequence with different lengths"、 3GPP TSG RAN WG1Meeting #48bis、 St． Julians、 Malta、 March 26 - 30、 2007
【発明の概要】
【発明が解決しようとする課題】
【００１５】
しかしながら、非特許文献２記載の系列割当方法において、ｒ／Ｎの差に関する閾値Ｘｔｈは、ＲＢ数によらず固定値であるため、次のような問題が生じる。
【００１６】
図６は、閾値Ｘｔｈを大きめに設定する場合に生じる問題を説明するための図である。図６に示すように、閾値Ｘｔｈを大きめに設定すると、隣接する系列グループ間の境目付近に位置するＺＣ系列間のｒ／Ｎの差が小さくなるため、相互相関が大きくなってしまう。すなわち、系列グループ間の相互相関が大きくなる。
【００１７】
図７Ａおよび図７Ｂは、閾値Ｘｔｈを大きめに設定する場合に生じる問題を、具体的な系列グループの例を用いて示す図である。図７Ａおよび図７Ｂにおいては、図５Ａおよび図５Ｂに示した系列グループの例を流用する。図７Ａおよび図７Ｂに示す２つの系列グループ（ＺＣ系列グループ１およびＺＣ系列グループ２）に含まれるＺＣ系列のうち、斜線を付けたＺＣ系列は、他の系列グループのＺＣ系列とのｒ／Ｎの差が小さく、相互相関が大きい。なお、図４に示すように、各ＲＢのＺＣ系列の数は、ｒ／Ｎ＝０〜１の範囲内に１／Ｎの間隔でＮ−１個存在する。このため、図７Ａおよび図７Ｂに示すように、ＲＢ数が大きいほど、基準のＺＣ系列とｒ／Ｎの差が閾値より小さいＺＣ系列の数が増える。また、ＲＢ数が大きいほど、すなわち、系列長Ｎが大きいほど、斜線を付けたＺＣ系列の数も増える。
【００１８】
一方、閾値Ｘｔｈを小さめに設定すると、系列グループを構成するＺＣ系列の数が減ってしまう。特に、ＲＢ数が小さいほど、すなわち、系列長Ｎが小さいほど、ｒ／Ｎ＝０〜１の範囲内に１／Ｎの間隔で存在する系列の数Ｎ−１が少ないため、さらに閾値を小さくすると、系列グループを構成するＺＣ系列の数がさらに少なくなる。なお、干渉の影響をランダム化するために、所定時間間隔で、系列番号を切替える系列ホッピングを適用した場合、切り替える系列番号の候補が少ないと、干渉のランダム化効果が得られなくなってしまう。
【００１９】
本発明の目的は、セルラ無線通信システム割り当てる系列グループを構成するＺＣ系列の数を維持しながら、異なる系列グループ間の相互相関を低減することができる送信装置および参照信号生成方法を提供することである。
【課題を解決するための手段】
【００２０】
本発明の第１の態様に係る系列割当方法は、セルラ無線通信システムにおける、式（１）に示すＺａｄｏｆｆ−Ｃｈｕ系列の系列割当方法であって、基準系列長Ｎｂおよび基準系列番号ｒｂを設定する基準設定ステップと、系列長Ｎに応じて第１閾値を設定する第１閾値設定ステップと、前記式（１）に従って生成されるＺａｄｏｆｆ−Ｃｈｕ系列のうち、ｒ／Ｎとｒｂ／Ｎｂとの差である第１差が前記第１閾値以下となる複数のＺａｄｏｆｆ−Ｃｈｕ系列を選択する選択ステップと、選択された前記複数のＺａｄｏｆｆ−Ｃｈｕ系列を同一セルに割り当てる割当ステップと、を有するようにした。
【００２１】
本発明の第２の態様に係る無線移動局装置は、式（１）に示すＺａｄｏｆｆ−Ｃｈｕ系列を参照信号として送信する無線移動局装置であって、無線基地局装置からシグナリングされる系列長Ｎに応じて閾値を設定する設定手段と、前記無線基地局装置からシグナリングされる基準系列番号ｒｂおよび基準系列長Ｎｂを用いて、ｒ／Ｎとｒｂ／Ｎｂとの差である第１差が前記閾値以下となるＺａｄｏｆｆ−Ｃｈｕ系列を、式（１）に従って生成されるＺａｄｏｆｆ−Ｃｈｕ系列のうちから選択する選択手段と、前記選択されたＺａｄｏｆｆ−Ｃｈｕ系列を前記参照信号として送信する送信手段と、を具備する構成を採る。
【００２２】
本発明の第３の態様に係る送信方法は、無線移動局装置が式（１）に示すＺａｄｏｆｆ−Ｃｈｕ系列を参照信号として送信する送信方法であって、前記無線移動局装置が、無線基地局装置からシグナリングされる系列長Ｎ、基準系列番号ｒｂを受信し、ｒｂ／Ｎｂ（Ｎｂは基準系列長）とｒ／Ｎとの差が、前記系列長Ｎに対応する閾値以下若しくは未満である条件を満たす前記Ｚａｄｏｆｆ−Ｃｈｕ系列を、前記受信された系列長Ｎ、基準系列番号ｒｂを用いて選択し、前記選択されたＺａｄｏｆｆ−Ｃｈｕ系列を前記参照信号として送信するようにした。
【発明の効果】
【００２３】
本発明によれば、系列グループを構成するＺＣ系列の数を維持しながら、異なる系列グループ間の相互相関を低減することができる。
【図面の簡単な説明】
【００２４】
【図１】従来技術に係る計算機シミュレーションにより得た、異なる系列番号の組合せにおけるＺＣ系列間の相互相関特性を示す図
【図２】従来技術に係る相互相関が大きくなるある特定のＺＣ系列の組合せが、隣接するセルに割り当てられた場合のＤＭ−ＲＳのセル間干渉を示す図
【図３】従来技術に係るＺＣ系列の割当方法を説明するための図
【図４】従来技術に係る系列グループの生成方法を説明するための図
【図５Ａ】従来技術に係る系列グループ生成方法により生成された系列グループの例を示す図（ＺＣ系列グループ１）
【図５Ｂ】従来技術に係る系列グループ生成方法により生成された系列グループの例を示す図（ＺＣ系列グループ２）
【図６】従来技術に係る閾値Ｘｔｈを大きめに設定する場合に生じる問題を説明するための図
【図７Ａ】従来技術に係る閾値Ｘｔｈを大きめに設定する場合に生じる問題を、具体的な系列グループの例を用いて示す図（ＺＣ系列グループ１）
【図７Ｂ】従来技術に係る閾値Ｘｔｈを大きめに設定する場合に生じる問題を、具体的な系列グループの例を用いて示す図（ＺＣ系列グループ２）
【図８】本発明の実施の形態１に係るセルラ無線通信システムにおける系列割当方法の手順を示すフロー図
【図９】本発明の実施の形態１に係る系列割当方法における閾値の設定方法を説明するための図
【図１０Ａ】本発明の実施の形態１に係る系列割当方法により得られる系列グループの例を示す図（ＺＣ系列グループ１）
【図１０Ｂ】本発明の実施の形態１に係る系列割当方法により得られる系列グループの例を示す図（ＺＣ系列グループ２）
【図１１】本発明の実施の形態１に係る系列割当方法における閾値の設定方法を説明するための図
【図１２Ａ】本発明の実施の形態１に係る系列割当方法により得られる系列グループの例を示す図（ＺＣ系列グループ１）
【図１２Ｂ】本発明の実施の形態１に係る系列割当方法により得られる系列グループの例を示す図（ＺＣ系列グループ２）
【図１３】本発明の実施の形態１に係る系列グループが割り当てられる無線基地局装置の構成を示すブロック図
【図１４】本発明の実施の形態１に係るＺＣ系列設定部の内部の構成を示すブロック図
【図１５】本発明の実施の形態１に係る無線移動局装置の構成を示すブロック図
【図１６】本発明の実施の形態２に係る計算機シミュレーションにより解明された、ＺＣ系列の相互相関特性を示す図
【図１７】本発明の実施の形態２に係るセルラ無線通信システムにおける系列割当方法の手順を示すフロー図
【図１８】本発明の実施の形態２に係る系列割当方法の手順に従って系列グループを生成する方法を説明するための図
【図１９Ａ】本発明の実施の形態２に係る系列割当方法により得られる系列グループの例を示す図（ＺＣ系列グループ１）
【図１９Ｂ】本発明の実施の形態２に係る系列割当方法により得られる系列グループの例を示す図（ＺＣ系列グループ８）
【図２０Ａ】本発明の実施の形態２に係る系列の削除を許容するＲＢ数を１０以上と設定する場合、得られる系列グループの例を示す図（ＺＣ系列グループ１）
【図２０Ｂ】本発明の実施の形態２に係る系列の削除を許容するＲＢ数を１０以上と設定する場合、得られる系列グループの例を示す図（ＺＣ系列グループ８）
【発明を実施するための形態】
【００２５】
以下、本発明の実施の形態について、図面を参照して詳細に説明する。ただし、実施の形態において、同一機能を有する構成には同一符号を付し、重複する説明は省略する。
【００２６】
（実施の形態１）
図８は、本発明の実施の形態１に係るセルラ無線通信システムにおける系列割当方法の手順を示すフロー図である。
【００２７】
まず、ステップ（以下、「ＳＴ」と記す）１０１において、生成する系列グループの基準となる系列長Ｎｂと系列番号ｒｂを設定する。ここで、系列番号ｒｂは、系列グループ番号に相当し、Ｎｂより小さい。
【００２８】
ＳＴ１０２において、ＲＢ数ｍを１に初期化する。
【００２９】
ＳＴ１０３において、ＲＢ数ｍに対応する閾値Ｘｔｈ（ｍ）を設定する。なお、閾値Ｘｔｈ（ｍ）の設定方法については後述する。
【００３０】
ＳＴ１０４において、ＲＢ数ｍに対応するＺＣ系列長Ｎを設定する。ＲＢ数ｍと系列長Ｎとは一意に対応するものとし、例えば、Ｎは、ＲＢ数ｍで送信可能なサイズより大きく、かつ、このサイズに最も小さい素数をとる。
【００３１】
ＳＴ１０５において、系列番号ｒを１に初期化する。
【００３２】
ＳＴ１０６において、ｒ、Ｎが下記の式（４）を満たすか否かを判定する。
｜ｒ／Ｎ−ｒｂ／Ｎｂ｜≦Ｘｔｈ（ｍ）  …（４）
【００３３】
式（４）から下記の式（５）が得られる。すなわち、式（４）および式（５）は等価であるため、ＳＴ１０６においては、ｒ、Ｎが式（５）を満たすか否かを判定しても良い。
（ｒｂ／Ｎｂ−Ｘｔｈ（ｍ））×Ｎ≦ｒ≦（ｒｂ／Ｎｂ＋Ｘｔｈ（ｍ））×Ｎ  …（５）
【００３４】
ＳＴ１０６において、ｒ、Ｎが式（４）を満たすと判定した場合（ＳＴ１０６：「ＹＥＳ」）には、ＳＴ１０７の手順を行う。
【００３５】
ＳＴ１０７においては、ｒを系列番号とするＺＣ系列を、系列グループｒｂのうちＲＢ数ｍに対応するＺＣ系列の１つと決める。
【００３６】
ＳＴ１０６において、ｒ、Ｎが式（４）を満たさないと判定した場合（ＳＴ１０６：「ＮＯ」）には、ＳＴ１０８の手順を行う。
【００３７】
ＳＴ１０８においては、ｒ＜Ｎであるか否かを判定する。
【００３８】
ＳＴ１０８において、ｒ＜Ｎであると判定した場合（ＳＴ１０８：「ＹＥＳ」）には、ＳＴ１０９の手順を行う。
【００３９】
ＳＴ１０９においては、ｒ＝ｒ＋１のように系列番号ｒを１インクリメントし、手順をＳＴ１０６に移行する。
【００４０】
ＳＴ１０８において、ｒ＜Ｎでないと判定した場合（ＳＴ１０８：「ＮＯ」）には、ＳＴ１１０の手順を行う。
【００４１】
ＳＴ１１０においては、ｍ＜Ｍであるか否かを判定する。ここで、Ｍは系列グループｒｂにおけるＲＢ数の最大値であり、送信帯域幅の最大値と対応する。
【００４２】
ＳＴ１１０において、ｍ＜Ｍであると判定した場合（ＳＴ１１０：「ＹＥＳ」）には、ＳＴ１１１の手順を行う。
【００４３】
ＳＴ１１１においては、ｍ＝ｍ＋１のようにＲＢ数ｍを１インクリメントし、手順をＳＴ１０３に移行する。
【００４４】
ＳＴ１１０において、ｍ＜Ｍでないと判定した場合（ＳＴ１１０：「ＮＯ」）には、ＳＴ１１２の手順を行う。
【００４５】
ＳＴ１１２においては、生成された系列グループｒｂを同一セル、すなわち、同一無線基地局装置に割り当てる。
【００４６】
次に、閾値Ｘｔｈ（ｍ）の設定方法について２つのケースに分けて説明する。上記のＳＴ１０３においては、下記の設定方法１または設定方法２のどちらを用いても良い。
【００４７】
＜閾値Ｘｔｈ（ｍ）の設定方法１＞
図９は、本実施の形態に係る系列割当方法における閾値Ｘｔｈ（ｍ）の設定方法１を説明するための図である。図９に示すように、閾値Ｘｔｈ（ｍ）は、ＲＢが大きいほど、小さくなるように設定される。例えば、下記の式（６）のように、ＲＢ数ｍが増える毎に、Ｘｔｈ（ｍ）が所定の値だけ次第に小さくなるように設定される。
Ｘｔｈ（ｍ）＝１／（２Ｎｂ）−（ｍ−１）×０．００１２  …（６）
【００４８】
このように、閾値Ｘｔｈ（ｍ）を設定することで、隣接する系列グループの境目付近に位置するＺＣ系列間のｒ／Ｎの差が大きくなるため、相互相関の増大が抑えられる。また、より小さいＲＢ数に対応する閾値Ｘｔｈ（ｍ）をより大きくすることで、ＺＣ系列の数を大きくし、所定の数以上に確保することができる。
【００４９】
図１０Ａおよび図１０Ｂは、図８および図９に示した系列割当方法により得られる系列グループの例を示す図である。具体的には、図１０Ａおよび図１０Ｂに示している系列グループは下記の条件および手順により得られるものである。例えば、図１０Ａに示すＺＣ系列グループ１を生成するために、ＳＴ１０１において、Ｎｂ＝１３、ｒｂ＝１と設定する。ここで、Ｎｂ＝１３は、ＲＢ数ｍ＝１に対応する系列長であり、系列番号ｒｂ＝１は、系列グループ番号に相当する。そして、ＳＴ１０２の手順において、上記の式（６）を用いて、ＲＢ数に対応する閾値Ｘｔｈ（ｍ）を設定し、ＳＴ１０４〜ＳＴ１０７の手順において、ｒｂ／Ｎｂとｒ／Ｎの差が閾値Ｘｔｈ（ｍ）以下となる系列番号ｒを選択し、ＺＣ系列グループ１を生成している。図１０Ｂに示すＺＣ系列グループ２を生成する条件および手順は、ＳＴ１０１において基準となる系列番号ｒｂを２に設定する点のみで、ＺＣ系列グループ１の場合と相違する。
【００５０】
＜閾値Ｘｔｈ（ｍ）の設定方法２＞
図１１は、本実施の形態に係る系列割当方法における閾値Ｘｔｈ（ｍ）の設定方法２を説明するための図である。図１１に示すように、ＲＢ数ｍの閾値を設け、ＲＢ閾値より大きい方よりも、ＲＢ閾値より小さい方において閾値Ｘｔｈ（ｍ）をより大きく設定する。例えば、下記の式（７）のように、ＲＢ数ｍの閾値を１０とし、ＲＢ数ｍが１０以下である場合には、Ｘｔｈ（ｍ）を１／２Ｎｂに設定し、ＲＢ数ｍが１０より大きい場合には、Ｘｔｈ（ｍ）を１／４Ｎｂに設定する。すなわち、１０の系列長Ｎを境に、閾値Ｘｔｈ（ｍ）を２つの固定値の間で切り換え、１０より大きい系列長Ｎに対応する固定値よりも、１０以下の系列長Ｎに対応する固定値をより小さく設定する。
Ｘｔｈ（ｍ）＝１／（２Ｎｂ），（１≦ｍ≦１０の場合）
Ｘｔｈ（ｍ）＝１／（４Ｎｂ），（ｍ≧１１の場合）  …（７）
【００５１】
このように、閾値Ｘｔｈ（ｍ）を設定することで、隣接する系列グループの境目付近に位置するＺＣ系列間のｒ／Ｎの差が大きくなるため、相互相関の増大が抑えられる。また、ＲＢ数ｍの閾値より小さいＲＢ数に対応する閾値Ｘｔｈ（ｍ）をより大きくすることで、ＺＣ系列の数を大きくし、所定の数以上に確保することができる。
【００５２】
図１２Ａおよび図１２Ｂは、図８および図１１に示した系列割当方法により得られる系列グループの例を示す図である。具体的には、図１２Ａおよび図１２Ｂに示している系列グループ（ＺＣ系列グループ１およびＺＣ系列グループ２）を得るための条件および手順は、閾値Ｘｔｈ（ｍ）の設定方法として式（６）の代わりに式（７）を用いる点のみで、図１０Ａおよび図１０Ｂに示した系列グループ（ＺＣ系列グループ１およびＺＣ系列グループ２）を得るための条件および手順と相違する。
【００５３】
次に、本実施の形態に係る系列割当方法に従って生成された系列グループが割当てられるセルに存在する無線基地局装置の動作について説明する。
【００５４】
図１３は、本実施の形態に係る系列グループが割り当てられる無線基地局装置１００の構成を示すブロック図である。
【００５５】
符号化部１０１は、無線基地局装置１００と同一セル内に存在する無線移動局装置への送信データおよび制御信号を符号化し、符号化データを変調部１０２に出力する。ここで、制御信号は基準系列長Ｎｂと、系列グループ番号に相当する基準系列番号ｒｂとを含み、基準系列長Ｎｂおよび基準系列番号ｒｂは、報知チャネルを介して、例えば後述の無線移動局装置２００に送信される。また、制御信号は、例えば無線移動局装置２００に割り当てる送信用ＲＢ数、または系列長Ｎなど送信帯域幅を示すスケジューリング情報を含み、このスケジューリング情報は、制御チャネルを介して、無線移動局装置２００に送信される。
【００５６】
変調部１０２は、符号化部１０１から入力される符号化データを変調し、変調信号を送信ＲＦ(Radio Frequency)部１０３に出力する。
【００５７】
送信ＲＦ部１０３は、変調部１０２から入力される変調信号に対しＤ／Ａ変換、アップコンバート、増幅等の送信処理を施し、送信処理を施した信号をアンテナ１０４を介して送信する。
【００５８】
受信ＲＦ部１０５は、アンテナ１０４を介して受信した信号に対しダウンコンバート、Ａ／Ｄ変換等の受信処理を施し、受信処理が施された信号を分離部１０６に出力する。
【００５９】
分離部１０６は、受信ＲＦ部１０５から入力される信号を参照信号、データ信号、および制御信号に分離し、参照信号をＤＦＴ(Discrete Fourier Transform)部１０７に出力し、データ信号および制御信号をＤＦＴ部１１４に出力する。
【００６０】
ＤＦＴ部１０７は、分離部１０６から入力される時間領域の参照信号に対しＤＦＴ処理を施して周波数領域の信号に変換し、周波数領域に変換された参照信号を伝搬路推定部１０８のデマッピング部１０９に出力する。
【００６１】
伝搬路推定部１０８は、デマッピング部１０９、除算部１１０、ＩＦＦＴ部１１１、マスク処理部１１２、ＤＦＴ部１１３を備え、ＤＦＴ部１０７から入力される参照信号に基づいて伝搬路推定を行う。
【００６２】
デマッピング部１０９は、ＤＦＴ部１０７から入力される周波数領域の参照信号から各無線移動局装置２００の送信帯域に対応するＺＣ系列を抽出し、抽出された各ＺＣ系列を除算部１１０に出力する。
【００６３】
ＺＣ系列設定部１０００は、入力される制御情報に含まれている基準系列長Ｎｂ、基準系列番号ｒｂ、および各無線移動局装置２００に割り当てるＲＢ数に基づき、各無線移動局装置２００において用いられるＺＣ系列を算出し、除算部１１０に出力する。なお、ＺＣ系列設定部１０００の内部の構成および動作については後述する。
【００６４】
除算部１１０は、ＺＣ系列設定部１０００で算出された各無線移動局装置２００に対応するＺＣ系列を、デマッピング部１０９から入力される各無線移動局装置２００で実際に用いられたＺＣ系列で除算し、除算結果をＩＦＦＴ(Inverse Fast Fourier Transform)部１１１に出力する。
【００６５】
ＩＦＦＴ部１１１は、除算部１１０から入力される除算結果に対しＩＦＦＴ処理を施し、ＩＦＦＴ処理が施された信号をマスク処理部１１２に出力する。
【００６６】
マスク処理部１１２は、ＩＦＦＴ部１１１から入力される信号にマスク処理を施すことにより、所望の巡回シフト系列の相関値が存在する区間、すなわち、ウィンドウ部分の相関値を抽出し、抽出した相関値をＤＦＴ部１１３に出力する。
【００６７】
ＤＦＴ部１１３は、マスク処理部１１２から入力される相関値に対しＤＦＴ処理を施し、ＤＦＴ処理が施された相関値を周波数領域等化部１１６に出力する。ここで、ＤＦＴ部１１３が出力する、ＤＦＴ処理が施された信号は、伝搬路の周波数応答を表す信号である。
【００６８】
ＤＦＴ部１１４は、分離部１０６から入力される時間領域のデータ信号および制御信号に対しＤＦＴ処理を施して周波数領域に変換し、周波数領域に変換されたデータ信号および制御信号をデマッピング部１１５に出力する。
【００６９】
デマッピング部１１５は、ＤＦＴ部１１４から入力される信号から各無線移動局装置２００の送信帯域に対応するデータ信号および制御信号を抽出し、抽出した各信号を周波数領域等化部１１６に出力する。
【００７０】
周波数領域等化部１１６は、伝搬路推定部１０８のＤＦＴ部１１３から入力される、伝搬路の周波数応答を表す信号を用いて、デマッピング部１１５から入力されるデータ信号および制御信号に対し等化処理を施し、等化処理が施された信号をＩＦＦＴ部１１７に出力する。
【００７１】
ＩＦＦＴ部１１７は、周波数領域等化部１１６から入力されるデータ信号および制御信号に対しＩＦＦＴ処理を施し、ＩＦＦＴ処理が施された信号を復調部１１８に出力する。
【００７２】
復調部１１８は、ＩＦＦＴ部１１７から入力されるＩＦＦＴ処理が施された信号に対し復調処理を施し、復調処理が施された信号を復号部１１９に出力する。
【００７３】
復号部１１９は、復調部１１８から入力される復調処理が施された信号に対し復号処理を施し、受信データを抽出する。
【００７４】
図１４は、ＺＣ系列設定部１０００の内部の構成を示すブロック図である。
【００７５】
閾値算出部１００１は、入力される制御情報に含まれているＲＢ数ｍを用い、上記の式（６）または式（７）に従って閾値Ｘｔｈ（ｍ）を算出し、系列番号算出部１００２に出力する。
【００７６】
系列番号算出部１００２は、入力される制御情報に含まれているＲＢ数ｍに基づき、参照信号として使用可能なＺＣ系列の系列長Ｎを算出し、ＺＣ系列生成部１００４に出力する。また、系列番号算出部１００２は、算出した系列長Ｎ、入力される制御情報に含まれている基準系列番号ｒｂ、基準系列長Ｎｂ、および閾値算出部１００１から入力される閾値Ｘｔｈ（ｍ）に基づき、参照信号として使用可能なＺＣ系列の系列番号ｒを、上記の式（３）に従って算出しパラメータ決定部１００３に出力する。
【００７７】
パラメータ決定部１００３は、系列番号算出部１００２から入力される使用可能なｒの中から１つを選択して、ＺＣ系列生成部１００４へ出力する。具体的には、パラメータ決定部１００３は、フレーム番号またはスロット番号を使用可能なｒの数で割った余り、すなわち、フレーム番号またはスロット番号を使用可能なｒの数でモジュロ演算した結果に対応するｒを選択する。例えば、系列番号算出部１００２からｒ＝ａ、ｂ、ｃ、ｄという使用可能なｒが４つ入力される場合、パラメータ決定部１００３は、フレーム番号あるいはスロット番号を４でモジュロ演算した結果が０であればｒ＝ａを、１であればｒ＝ｂを、２であればｒ＝ｃを、３であればｒ＝ｄを選択する。これにより、系列ホッピングが実現できる。
【００７８】
ＺＣ系列生成部１００４は、パラメータ決定部１００３から入力されるｒと、系列番号算出部１００２から入力されるＮを用いて、式（１）または式（２）に従いＺＣ系列を生成し、除算部１１０に出力する。
【００７９】
上記のように、無線基地局装置１００は、基準系列番号ｒｂ、基準系列長Ｎｂ、およびＲＢ数を無線移動局装置２００へシグナリングする。
【００８０】
次に、無線基地局装置１００からシグナリングされた基準系列番号ｒｂ、基準系列長Ｎｂ、およびＲＢ数を用いて、参照信号として用いるＺＣ系列を生成する無線移動局装置２００について説明する。
【００８１】
図１５は、本実施の形態に係る無線移動局装置２００の構成を示すブロック図である。なお、図１５においては無線移動局装置２００の受信系統を省略し、送信系統のみを示す。
【００８２】
図１５において、無線移動局装置２００が備えるＺＣ系列設定部１０００は、無線基地局装置１００が備えるＺＣ系列設定部１０００と同様であって、無線基地局装置１００から送信される制御情報に含まれている基準系列番号ｒｂ、基準系列長Ｎｂ、およびＲＢ数ｍに基づきＺＣ系列を算出し、マッピング部２０１へ出力する。
【００８３】
マッピング部２０１は、ＺＣ系列設定部１０００から入力されるＺＣ系列を無線移動局装置２００の送信帯域にマッピングし、マッピングされたＺＣ系列をＩＦＦＴ部２０２に出力する。
【００８４】
ＩＦＦＴ部２０２は、マッピング部２０１から入力されるＺＣ系列に対しＩＦＦＴ処理を施し、ＩＦＦＴ処理が施されたＺＣ系列を送信ＲＦ部２０３に出力する。
【００８５】
送信ＲＦ部２０３は、ＩＦＦＴ部から入力されるＺＣ系列に対しＤ／Ａ変換、アップコンバート、増幅等の送信処理を施し、送信処理が施された信号をアンテナ２０４を介して送信する。
【００８６】
このように、本実施の形態によれば、ＲＢ数が大きいほど、すなわちＺＣ系列長Ｎが大きいほど、ｒ／Ｎとｒｂ／Ｎｂとの差がより小さい系列を用いて系列グループを生成し、同一セルに割当てる。このため、各ＲＢで所定の系列数を確保しつつ、異なる系列グループ間の相互相関を低減することができ、セル間干渉を低減することができる。
【００８７】
なお、本実施の形態では、ＳＴ１０１において１ＲＢに相当する系列長を基準系列長Ｎｂとする場合を例にとって説明したが、本発明はこれに限定されず、基準系列長Ｎｂを適応的に設定しても良い。例えば、ある系列グループを構成するＺＣ系列のうち、基準となるＺＣ系列が他の系列グループとの相互相関が最も小さいということを考慮し、受信品質が最も悪いセルエッジの無線移動局装置で使用されるＲＢ数に相当する系列長を基準系列長Ｎｂとする。これにより、セル間干渉をさらに低減することができる。
【００８８】
または、セルラ通信システムにおいて、セル間干渉を低減させるために必要とする系列グループの数に基づき基準系列長Ｎｂを設定しても良い。例えば、必要な系列グループの数が１００である場合、１００に最も近い系列長、すなわちＲＢ数＝９に対応する系列長１０９を基準系列長Ｎｂとして設定する。９個のＲＢ、すなわち１０９の系列長に対しては、１０８個のＺＣ系列を生成することができるため、１０８個の基準系列番号ｒの中から１００個を選択し、１００個の異なる系列グループを生成することができる。
【００８９】
また、本実施の形態では、ＲＢ数が大きいほど閾値Ｘｔｈ（ｍ）をより小さく設定することにより、より大きいＲＢ数に対応するＺＣ系列の数を制限する場合を例にとって説明した。しかし、本発明はこれに限定されず、ｒ／Ｎとｒｂ／Ｎｂとの差が小さい順から予め定められた所定の数までのＺＣ系列を求め系列グループを構成しても良い。すなわち、予め定めた所定の数までのＺＣ系列を、ｒ／Ｎとｒｂ／Ｎｂとの差が小さいＺＣ系列を優先して選択する。ｒ／Ｎの大きさで系列を並べると系列間の間隔は１／Ｎになり、大きいＲＢ（大きいＮ）ほど系列の間隔が小さくなるため、系列数を限定する処理により、大きいＲＢほど閾値Ｘｔｈ（ｍ）を小さくする処理と同様な効果が得られる。すなわち、このような方法で系列グループを生成しても、同様に、系列グループ間の相互相関を低減させる効果が得られる。
【００９０】
また、本実施の形態では、セル毎に基準系列長Ｎｂを変化させると想定し、無線基地局装置１００から無線移動局装置２００へ基準系列長Ｎｂをシグナリングする場合を例にとって説明した。しかし、本発明はこれに限定されず、予め全セル共通の基準系列長Ｎｂを決めておけば、シグナリングの必要はない。または、基準系列長Ｎｂの代わりに、基準とするＲＢ数を予め決めておいてもよい。ＲＢ数と系列長は一意に対応づけられるため、基準とするＲＢ数から基準系列長Ｎｂが導出できる。
【００９１】
また、本実施の形態では、系列番号算出部１００２は、基準系列番号ｒｂ、基準系列長Ｎｂ、およびＲＢ数ｍを用いて使用可能な系列番号ｒを算出する場合を例にとって説明した。しかし、本発明はこれに限定されず、無線基地局装置１００および無線移動局装置２００が図１０Ａおよび図１０Ｂ、または、図１２Ａおよび図１２Ｂに示した系列グループをテーブルとして保持する場合、系列番号算出部１００２は、テーブルを引くことにより使用可能な系列番号ｒを求めても良い。このテーブルを用いた系列番号ｒの決定方法の一例を以下説明する。例えば基準系列長Ｎｂが固定である前提において、系列長Ｎ、基準系列番号ｒｂの２つのパラメータに対し、それぞれテーブルが用意され、選択できるｒが記述されている。この例においては無線移動局装置１００は、無線基地局装置２００からシグナリングされた系列長Ｎ、基準系列番号ｒｂを受信し、これに対応するテーブルを参照し、記述されているｒの取り得る値からランダムに一つを選択することにより、参照信号として使用すべきＺａｄｏｆｆ−Ｃｈｕ系列を決定する。
【００９２】
また、本実施の形態では、パラメータ決定部１００３は、フレーム番号またはスロット番号に基づき使用可能な系列番号ｒの中から１つを選択する場合を例にとって説明した。しかし、本発明はこれに限定されず、パラメータ決定部１００３は、使用可能な系列番号ｒの中から最小または最大の系列番号を１つ選択しても良い。
【００９３】
（実施の形態２）
本発明の実施の形態２係る系列割当方法は、本発明者らの計算機シミュレーションにより解明された、ＺＣ系列の相互相関特性に基づく。
【００９４】
図１６は、本発明者らの計算機シミュレーションにより解明された、ＺＣ系列の相互相関特性を示す図である。
【００９５】
図１６において、横軸は異なる送信帯域幅あるいは異なる系列長のＺＣ系列間のｒ／Ｎの差を示し、縦軸はＺＣ系列間の相互相関特性を示す。図１６に示すように、異なる送信帯域幅あるいは異なる系列長のＺＣ系列間のｒ／Ｎの差が０．０である場合、ＺＣ系列間の相互相関が最も大きくなり、また、ｒ／Ｎの差が０．５である場合、ＺＣ系列間の相互相関がピークを形成する。すなわち、異なる送信帯域幅あるいは異なる系列長のＺＣ系列間の相互相関は、ｒ／Ｎの差が０．５に近い場合に大きくなる。
【００９６】
本実施の形態に係る系列割当方法は、基準となるＺＣ系列とのｒ／Ｎの差が０．５に近いＺＣ系列を系列グループに含めないことを特徴とする。
【００９７】
図１７は、本実施の形態に係るセルラ無線通信システムにおける系列割当方法の手順を示すフロー図である。なお、図１７における手順において、図８に示した手順と同様のステップについては、説明を省略する。
【００９８】
ＳＴ２０１において、既存の系列グループとして、ＲＢ数によらずｒ／Ｎとｒｂ／Ｎｂとの差が１／２６以下になるＺＣ系列からなる系列グループを入力する。
【００９９】
ＳＴ２０２においては、下記の式（８）に従って、ＲＢ数がｍである場合の閾値Ｘｔｈ２（ｍ）を設定する。すなわち、ＲＢ数ｍが増える毎に、Ｘｔｈ２（ｍ）が所定の値だけ次第に大きくなるように設定する。
Ｘｔｈ２（ｍ）＝（ｍ−１）×０．００１２  …（８）
【０１００】
ＳＴ２０３においては、ｒ、Ｎが下記の式（９）を満たすか否かを判定する。
｜｜ｒ／Ｎ−ｒｂ／Ｎｂ｜−０．５｜≦Ｘｔｈ２（ｍ）  …（９）
【０１０１】
ＳＴ２０３において、ｒ、Ｎが式（９）を満たすと判定した場合（ＳＴ２０３：「ＹＥＳ」）には、ＳＴ２０４の手順を行う。
【０１０２】
ＳＴ２０４においては、ｒを系列番号とするＺＣ系列をＳＴ２０１において入力した既存の系列グループから削除する。
【０１０３】
一方、ＳＴ２０３において、ｒ、Ｎが式（９）を満たさないと判定した場合（ＳＴ２０３：「ＮＯ」）には、ＳＴ１０８の手順を行う。
【０１０４】
図１８は、図１７の系列割当方法の手順に従って系列グループを生成する方法を説明するための図である。
【０１０５】
図１８において、グループＸは、基準系列を含む系列グループ示し、グループＹは、ＳＴ２０１において入力した既存の系列グループを示す。なお、斜線で表す部分は、グループＸのｒ／Ｎとｒｂ／Ｎｂとの差が０．５に近い、例えばｒ／Ｎの差が（０．５−Ｘｔｈ２（ｍ））〜（０．５＋Ｘｔｈ２（ｍ））の範囲にあるＺＣ系列を示す。図１８のように、本実施の形態に係る系列割当方法においては、グループＸのｒ／Ｎとｒｂ／Ｎｂとの差が（０．５−Ｘｔｈ２（ｍ））〜（０．５＋Ｘｔｈ２（ｍ））の範囲にあるＺＣ系列を既存の系列グループＹから削除する。これにより、系列グループ間の相互相関を低減する。また、式（８）に従って、ＲＢ数が小さいほど閾値Ｘｔｈ２（ｍ）をより小さく設定して削除される系列数を減少させることにより、系列グループから削除されるＺＣ系列の数を制限する。
【０１０６】
図１９Ａおよび図１９Ｂは、本実施の形態に係る系列割当方法により得られる系列グループの例を示す図である。具体的には、図１９Ａおよび図１９Ｂに示している系列グループ（ＺＣ系列グループ１およびＺＣ系列グループ８）は下記の条件および手順により得られるものである。例えば、図１９Ａに示すＺＣ系列グループ１を生成するために、ＳＴ１０１において、基準となる系列長Ｎｂを１３に設定し、基準となる系列番号ｒｂを１に設定している。なお、既存の系列グループは、ＲＢ数によらずｒｂ／Ｎｂからの差が１／２６以下になる系列からなる。ＳＴ２０２において、式（８）を用いて、ＲＢ数ｍに対応する閾値Ｘｔｈ２（ｍ）を設定し、ＳＴ２０４において式（９）の条件を満たすＺＣ系列を既存の系列グループから削除する。
【０１０７】
このように、本実施の形態によれば、系列グループを生成する際に、ＲＢ数が小さいほど閾値Ｘｔｈ２（ｍ）をより小さく設定し、ｒ／Ｎとｒｂ／Ｎｂとの差が（０．５−Ｘｔｈ２（ｍ））〜（０．５＋Ｘｔｈ２（ｍ））の範囲にあるＺＣ系列を既存の系列グループから削除する。このため、系列グループを構成する系列数を確保しつつ、系列グループ間の相互相関を低減することができ、セル間干渉を低減することができる。
【０１０８】
なお、本実施の形態では、ＳＴ２０１において既存の系列グループとして、ＲＢ数によらずｒ／Ｎとｒｂ／Ｎｂとの差が１／２６以下になるＺＣ系列からなる系列グループを入力する場合を例にとって説明した。しかし、本発明はこれに限定されず、実施の形態１において得られた系列グループを既存の系列グループとして入力しても良い。
【０１０９】
また、本実施の形態では、ｒ／Ｎとｒｂ／Ｎｂとの差が（０．５−Ｘｔｈ２（ｍ））〜（０．５＋Ｘｔｈ２（ｍ））の範囲にあるＺＣ系列を既存の系列グループから削除する場合を例にとって説明したが、本発明はこれに限定されず、系列グループからＺＣ系列を削除する条件をさらに加え、所定値以上のＲＢ数、例えば１０以上のＲＢ数のみに対し系列の削除を行うようにしても良い。これにより、小さいＲＢ数に対応するＺＣ系列が削除されすぎることを防止し、削除されるＺＣ系列の数を制限することができる。
【０１１０】
図２０Ａおよび図２０Ｂは、系列の削除を許容するＲＢ数を１０以上と設定する場合、得られる系列グループの例を示す図である。なお、図２０Ａおよび図２０Ｂに示す系列グループ（ＺＣ系列グループ１およびＺＣ系列グループ８）を得るための他の条件は図１９Ａおよび図１９Ｂに示した系列グループを得るための条件と同様である。
【０１１１】
また、本実施の形態では、ＳＴ２０３において、ｒ、Ｎが式（９）を満たすか否かを判定する場合を例にとって説明したが、本発明はこれに限定されず、ＳＴ２０３において下記の式（１０）を用いても良い。これにより、式（９）を用いる場合と同様な系列を系列グループから削除することができる。
｜｜ｒ／Ｎ−ｒｂ／Ｎｂ｜−（０．５／Ｎｂ）｜≦Ｘｔｈ２（ｍ）  …（１０）
【０１１２】
また、本実施の形態では、式（９）において１つの系列長、すなわち１種のＲＢ数を基準として用いる場合を例にとって説明した。しかし、本発明はこれに限定されず、式（９）の判定に用いられる基準系列長、すなわち基準となるＲＢ数を複数設けても良い。例えば、１ＲＢ、２ＲＢ、３ＲＢ対応するＮｂ１＝１３、Ｎｂ２＝２９、Ｎｂ３＝３７の３つを基準として、｜｜ｒ／Ｎ−ｒｂ１／Ｎｂ１｜−０．５｜が閾値より小さい、または、｜｜ｒ／Ｎ−ｒｂ２／Ｎｂ２｜−０．５｜が閾値より小さい、または｜｜ｒ／Ｎ−ｒｂ３／Ｎｂ３｜−０．５｜が閾値より小さいｒ、Ｎを有するすべての系列を削除する。また、複数の基準とするＲＢ数は、連続しなくてもよい。例えば、１ＲＢと３ＲＢ（すなわちＮ＝１３とＮ＝３７）を基準の系列長Ｎｂとしても良い。
【０１１３】
また、本実施の形態では、ｒ／Ｎとｒｂ／Ｎｂとの差が（０．５−Ｘｔｈ２（ｍ））〜（０．５＋Ｘｔｈ２（ｍ））の範囲にあるＺＣ系列を既存の系列グループから削除する場合を例にとって説明した。しかし、本発明はこれに限定されず、各ＲＢ数に応じて所定の系列数は確保する（残す）という条件をさらに追加してもよい。具体的には、各ＲＢで、確保する系列数ｐ（ｍ）を予め設定して、ｒ／Ｎとｒｂ／Ｎｂとの差が０．５により近い系列から順番に削除を行い、残りの系列数がｐ（ｍ）になった時点で削除処理を止める。これにより、各ＲＢで必要な系列数を確保できる。
【０１１４】
以上、本発明の各実施の形態について説明した。
【０１１５】
本発明は、上記各実施の形態に限定されず、種々変更して実施することが可能である。例えば、各実施の形態は、適宜組み合わせて実施することが可能である。
【０１１６】
また、上記各実施の形態において、系列グループを生成するさらなる条件として、Cubic Metric（ＣＭ）またはＰＡＰＲが所定の値、例えば、ＱＰＳＫにおけるＣＭまたはＰＡＰＲより大きい系列は使わない、系列グループから削除にしてもよい。かかる場合、系列グループ間でのＣＭまたはＰＡＰＲの大小の偏りは小さいため、このような条件を追加しても各系列グループの系列数をほぼ均等にでき、各系列グループで使用できる系列数に偏りが生じない。
【０１１７】
また、上記各実施の形態では、周波数領域のＺＣ系列を用いて系列グループを構成する場合を例にとって説明したが、本発明はこれに限定されず、時間領域で生成したＺＣ系列を用いて系列グループを構成しても良い。ただし、時間領域のＺＣ系列と周波数領域のＺＣ系列とは、下記の式（１１）に示すような関係を満たす。
（ｕ×ｒ）ｍｏｄ（Ｎ）＝Ｎ−１  …（１１）
【０１１８】
式（１１）において、ＮはＺＣ系列長を示し、ｒは時間領域のＺＣ系列の系列番号を示し、ｕは周波数領域のＺＣ系列の系列番号を示す。従って、時間領域のＺＣ系列を用いて系列グループを構成する場合は、基準系列とのｕ／Ｎの差が所定の閾値より小さいＺＣ系列を求める。時間領域のＺＣ系列と周波数領域のＺＣ系列とは性質は同様であるため、同様の効果が得られる。
【０１１９】
また、上記各実施の形態では、ＺＣ系列をチャネル推定用参照信号として用いる場合を例にとって説明したが、本発明はこれに限定されず、例えば、ＣＱＩ推定用参照信号(Sounding ＲＳ)、同期チャネル(Synchronization Channel)、ランダムアクセスのプリアンブル信号、ＣＱＩ信号、またはＡＣＫ／ＮＡＣＫ信号等としてＺＣ系列を用いても良い。
【０１２０】
また、上記各実施の形態では、無線移動局装置から無線基地局装置に対する参照信号としてＺＣ系列を用いる場合を例にとって説明したが、本発明はこれに限定されず、無線基地局装置から無線移動局装置に対する参照信号としてＺＣ系列を用いる場合でも同様に適用できる。
【０１２１】
また、上記各実施の形態では、参照信号としてＺＣ系列を用いる場合を例にとって説明したが、ＺＣ系列を含んだ他の系列、例えば、下記の式（１２）に示すＧＣＬ(Generalized Chirp-Like)系列ｃ（ｋ）を参照信号として用いても良い。
ｃ（ｋ）＝ａ（ｋ）ｂ（ｋ  ｍｏｄ  ｍ），ｋ＝０，１，…，Ｎ−１  …（１２）
【０１２２】
式（１２）において、Ｎは系列長を示し、Ｎ＝ｓｍ２（ｓ，ｍは整数）あるいはＮ＝ｔｍ（ｔ，ｍは整数）である。ａ（ｋ）は式（１）または式（２）で表されるＺＣ系列を示し、ｂ（ｋ）は下記の式（１３）で表されるＤＦＴ系列である。
【数３】
0005475854.tif 000004
【０１２３】
また、上記各実施の形態では、閾値以下であることを判定条件としたが、閾値未満であることを判定条件としても良い。
【０１２４】
また、上記各実施の形態では、Ｚａｄｏｆｆ−Ｃｈｕ系列を用いて説明を行った。しかし、Ｚａｄｄｏｆｆ−Ｃｈｕ系列は、各式で表される系列に限定されず、Ｚａｄｏｆｆ−Ｃｈｕ系列の一部を繰り返すことにより生成される系列、およびＺａｄｏｆｆ−Ｃｈｕ系列の一部を切り詰める、あるいは、一部を抜き取ることにより生成される系列も含む。
【０１２５】
また、上記各実施の形態では、本発明をハードウェアで構成する場合を例にとって説明したが、本発明はソフトウェアで実現することも可能である。
【０１２６】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１２７】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１２８】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１２９】
２００７年６月１８日出願の特願２００７−１６０３４８の日本出願に含まれる明細書、図面および要約書の開示内容は、すべて本願に援用される。
【産業上の利用可能性】
【０１３０】
本発明は、系列グループを構成するＺＣ系列の数を維持しながら、異なる系列グループ間の相互相関を低減することができ、例えば、セルラ無線通信システムに適用できる。
【図１】
0005475854.tif 000006
【図２】
0005475854.tif 000007
【図３】
0005475854.tif 000008
【図４】
0005475854.tif 000009
【図５Ａ】
0005475854.tif 000010
【図５Ｂ】
0005475854.tif 000011
【図６】
0005475854.tif 000012
【図７Ａ】
0005475854.tif 000013
【図７Ｂ】
0005475854.tif 000014
【図８】
0005475854.tif 000015
【図９】
0005475854.tif 000016
【図１０Ａ】
0005475854.tif 000017
【図１０Ｂ】
0005475854.tif 000018
【図１１】
0005475854.tif 000019
【図１２Ａ】
0005475854.tif 000020
【図１２Ｂ】
0005475854.tif 000021
【図１３】
0005475854.tif 000022
【図１４】
0005475854.tif 000023
【図１５】
0005475854.tif 000024
【図１６】
0005475854.tif 000025
【図１７】
0005475854.tif 000026
【図１８】
0005475854.tif 000027
【図１９Ａ】
0005475854.tif 000028
【図１９Ｂ】
0005475854.tif 000029
【図２０Ａ】
0005475854.tif 000030
【図２０Ｂ】
0005475854.tif 000031